(57)【要約】【課題】短時間で且つ簡単な操作で島に取付け可能な取付け機構を備えた遊技盤取付け枠構造を提供する。【解決手段】枠体本体１の柱部６内に形成した案内穴３０に突っ張り棒３１が配置され、その下部に形成された板カム３３をレバー３５を介して回転することで突っ張り棒３１が上方に突出する。この状態で、レバー３５を凹部３６に嵌め込むことで、突出した突っ張り棒３１がロック状態となって遊技盤取付け枠が島に固定される。【選択図】        図２
2004195010.tif 000002
【特許請求の範囲】
【請求項１】
島の上部梁材と下部梁材との間に固定されると共に、内側に遊技台を取り付ける遊技盤取付け枠の構造であって、
遊技盤が取付けられる枠本体と、その枠本体に設けられて当該枠本体を上部梁材と下部梁材との間に固定する取付け機構とからなり、
上記取付け機構は、
上記枠本体から上方若しくは下方に向けて突出して先端部が上部梁材若しくは下部梁材に当接可能な突っ張り棒と、
上記枠本体に設けられて突っ張り棒を上下方向に移動可能に案内する案内部と、
上記突っ張り棒の先端部が、対向する上部梁材若しくは下部梁材に押し付けられるまで当該突っ張り棒を上方若しくは下方に向けて変位させる変位機構と、
上記突っ張り棒の先端部が対向する上部梁材若しくは下部梁材に押し付けられた状態で当該突っ張り棒の移動を拘束するロック機構とを備えることを特徴とする遊技盤取付け枠構造。
【請求項２】
上記変位機構は、上記突っ張り棒の上記先端部とは反対側に位置する尾端部に接触すると共に水平軸周りに回転可能な状態で枠本体に支持されたカムを備え、当該カムを回転させることで上記突っ張り棒を上下方向に往復運動させることを特徴とする請求項１に記載した遊技盤取付け枠構造。
【請求項３】
上記枠本体は、左右の柱部、及びその左右の柱部の上部間及び下部間に架け渡される上下の横架部から構成され、
上記案内部は、上記柱部内を上下に延びて当該柱部の上端面若しくは下端面に開口する案内穴から構成されて、その案内穴に突っ張り棒が挿入されることで、当該突っ張り棒が上下方向に移動可能に規制され、また、上記柱部の内部において、上記カムが水平軸周りに回転自在に当該柱部に支持され、そのカムの回転軸にレバーが連結されることを特徴とする請求項２に記載した遊技盤取付け枠構造。
【請求項４】
上記レバーは、上記回転軸の軸方向へ移動可能となっていると共に、上記柱部には、上記突っ張り棒が突出した状態となっているときのレバーを篏め込み可能な凹部を形成することで、上記ロック機構が構成されていることを特徴とする請求項３に記載した遊技盤取付け枠構造
【請求項５】
上記突っ張り棒の先端部を対向する上部梁材若しくは下部梁材に向けて付勢するバネを有することを特徴とする請求項１〜請求項４のいずれか１項に記載した遊技盤取付け枠構造。
【発明の詳細な説明】
【０００１】
【発明の属する技術分野】
本発明は、遊技場内のいわゆる島に遊技盤を設置する際に使用される遊技盤取付け枠の構造に関する。
【０００２】
【従来の技術】
パチンコ盤などの遊技盤を、遊技場内の島に取り付ける場合には、内部に遊技盤が嵌め込まれる遊技盤取付け枠を、島の上部梁材と下部梁材との間に配置した状態で、上部梁材及び下部梁材に当該遊技盤取付け枠を固定して取り付ける。この遊技盤取付け枠の取付け作業は、従来にあっては、特許文献１に記載されているように、遊技盤取付け枠を構成する上部横架部及び下部横架部を、それぞれ上記上部梁材若しくは下部梁材に対し複数の釘で止めたり固定金具を使用して固定したりしている。なお、従来にあっては、遊技盤取付け枠と、当該遊技盤取付け枠を固定するための釘などは全く別のものである。
【０００３】
【特許文献１】
特開平１１−１２８４８１号公報
【０００４】
【発明が解決しようとする課題】
しかしながら、釘を打ち込んで遊技盤取付け枠を島に固定する方法では、熟練した専門業者などが必要である。
また、固定金具を使用する方式では、４点ねじ止めなどの際に調整が要求される。
本発明は、上記のような点に着目したもので、短時間で且つ簡単な操作で島に取付け可能な取付け機構を備えた遊技盤取付け枠構造を提供することを課題としている。
【０００５】
【課題を解決するための手段】
上記課題を解決するために、本発明のうち請求項１に記載した発明は、島の上部梁材と下部梁材との間に固定されると共に、内側に遊技台を取り付ける遊技盤取付け枠の構造であって、
遊技盤が取付けられる枠本体と、その枠本体に設けられて当該枠本体を上部梁材と下部梁材との間に固定する取付け機構とからなり、
上記取付け機構は、
上記枠本体から上方若しくは下方に向けて突出して先端部が上部梁材若しくは下部梁材に当接可能な突っ張り棒と、
上記枠本体に設けられて突っ張り棒を上下方向に移動可能に案内する案内部と、
上記突っ張り棒の先端部が、対向する上部梁材若しくは下部梁材に押し付けられるまで当該突っ張り棒を上方若しくは下方に向けて変位させる変位機構と、
上記突っ張り棒の先端部が対向する上部梁材若しくは下部梁材に押し付けられた状態で当該突っ張り棒の移動を拘束するロック機構とを備えることを特徴とするものである。
【０００６】
次に、請求項２に記載した発明は、請求項１に記載した構成に対し、上記変位機構は、上記突っ張り棒の上記先端部とは反対側に位置する尾端部に接触すると共に水平軸周りに回転可能な状態で枠本体に支持されたカムを備え、当該カムを回転させることで上記突っ張り棒を上下方向に往復運動させることを特徴とするものである。
【０００７】
次に、請求項３に記載した発明は、請求項２に記載した構成に対し、上記枠本体は、左右の柱部、及びその左右の柱部の上部間及び下部間に架け渡される上下の横架部から構成され、
上記案内部は、上記柱部内を上下に延びて当該柱部の上端面若しくは下端面に開口する案内穴から構成されて、その案内穴に突っ張り棒が挿入されることで、当該突っ張り棒が上下方向に移動可能に規制され、また、上記柱部の内部において、上記カムが水平軸周りに回転自在に当該柱部に支持され、そのカムの回転軸にレバーが連結されることを特徴とするものである。
【０００８】
次に、請求項４に記載した発明は、請求項３に記載した構成に対し、上記レバーは、上記回転軸の軸方向へ移動可能となっていると共に、上記柱部には、上記突っ張り棒が突出した状態のときの位置でレバーを篏め込み可能な凹部を形成することで、上記ロック機構が構成されていることを特徴とするものである。
次に、請求項５に記載した発明は、請求項１〜請求項４のいずれかに１項に記載した構成に対し、上記突っ張り棒の先端部を対向する上部梁材若しくは下部梁材に向けて付勢するバネを有することを特徴とするものである。
【０００９】
【発明の実施の形態】
次に、本発明の実施形態について図面を参照しつつ説明する。
本実施形態の遊技盤取付け枠構造は、図１〜図３に示すように、枠本体１と、取付け機構２と、間隙調整手段１２とからなる。なお、本実施形態では、主としてパチンコ機の遊技盤に対する使用を想定して説明する。
【００１０】
枠本体１は、遊技盤を内部に取り付けるための前側枠体１Ａと、島の上部梁材３と下部梁材４の間に固定される後側枠体１Ｂとから構成される。
ここで、遊技盤は前側枠体１Ａに固定されて支持されるが、その遊技盤の後部は後部枠体内に位置する。したがって、後側枠体１Ｂ内には、不要な出っ張りなどは無い方が好ましい。
【００１１】
上記前側枠体１Ａ及び後側枠体１Ｂは、それぞれ矩形の枠体であって、それぞれ左右の柱部５，６と、その左右の柱部５，６の上部間及び下部間に架け渡された上下の横架部７，８，９，１０とから構成される。
上記後側枠体１Ｂの上部横架部７と前側枠体１Ａの上部横架部９とが、図１のように、左右の丁番１１で連結されることで、後側枠体１Ｂに対し前側枠体１Ａが上下に回動可能となっている。
【００１２】
また、前側枠体１Ａの下部と後側枠体１Ｂの下部が、間隙調整手段１２を介して連結され、前側枠体１Ａの下部と後側枠体１Ｂの下部との間の間隙調整を行うことで、後側枠体１Ｂに対する前側枠体１Ａの傾き、つまり遊技盤が固定される前側枠体１Ａの上下方向の傾きを調整可能となっている。
なお、誇張して記載した模式図である図４のように、後側枠体１Ｂの前面１Ｂａを、側面視で、下方に向かうほど後方に変位するように傾斜させておくことで、前側枠体１Ａの傾きを、上側よりも下側が後側に変位した傾斜状態にも設定できるようにもなる。勿論、後側枠体１Ｂの前面１Ｂａに上記傾斜を付ける代わりに若しくは併用して、前側枠体１Ａの後面１Ａｂについて、上部よりも下部が前側に変位するように傾斜を付けておいても同様な効果を得ることが出来る。
【００１３】
このことはまた、島に後側枠体１Ｂを取り付けた際の後側枠体１Ｂの微小な上下方向の傾き誤差を、上記間隙調整手段１２による対向距離の調整によって相殺することも可能となる。
次に、本実施形態における上記間隙調整手段１２の構成について主として図２及び図３を参照しつつ説明する。
【００１４】
後側枠体１Ｂの柱部５，６の下側部分に対し、前後方向（前側枠体１Ａと後側枠体１Ｂとの対向方向）に延び且つ前側枠体１Ａ側に開口したねじ遊挿穴２０が設けられている。そのねじ遊挿穴２０は、その軸方向中央部に拡径された拡径部２１を備える。その拡径部２１は、柱部５，６の内面側に開口した窓部２２に連通していて、その窓部２２から後述の１対のナット２３，２４を拡径部２１に挿入可能となっている。もっとも、拡径部２１内に１対のナット２３，２４が配置されていればよいから、枠体形成時に配置されていれば、窓部２２から差し入れ可能となっていなくても良い。
【００１５】
そして、上記ねじ遊挿穴２０に当該ねじ棒が遊挿され当該ねじ棒２６に螺合した１対のナット２３，２４の外径は、遊挿穴２０の径よりも大きく且つ拡径部２１の径よりも小さい。なお、拡径部２１の開口断面は円形である必要はない。
また、前側枠体１Ａの柱部５における上記ねじ遊挿穴２０の開口と対向する位置に、前後方向に軸を向けたナット２５が埋設しており、当該ナット２５に上記ねじ棒２６の先端部が螺合可能となっている。
【００１６】
ここで、上記ねじ棒２６及び１対のナット２３，２４は、後側枠体１Ｂを島に固定してから取り付けても良い。すなわち、窓部２２から１対のナット２３，２４を拡径部２１に差し込んだ状態で、ねじ遊挿穴２０の開口からねじ棒２６を差し込み当該１対のナット２３，２４に螺合させる。それに前後して、ねじ棒２６の先端部を前側枠体１Ａに設けたナット２５に螺合してねじ棒２６の先端部を前側枠体１Ａに固定する。
【００１７】
そして、窓部２２から見える１対のナット２３，２４を回転させることで１対のナット２３，２４とねじ棒２６の螺合位置が変位して、ねじ遊挿穴２０からのねじ棒２６の突出量が変化する。このとき、前側枠体１Ａから後方に向かう荷重がねじ棒２６に掛かるので、１対のナット２３，２４のうち後側のナット２４は拡径部２１の後側端部に当接した状態となっている。したがって、主として当該後側のナット２４を回転して、ねじ遊挿穴２０からのねじ棒２６の突出量、つまり前側枠体１Ａ下部と後側枠体１Ｂ下部との間の対向距離を調整し、遊技盤が固定される前側枠体１Ａの傾きを目的の傾きに調整する。
【００１８】
その後、１対のナット２３，２４のうちの前側のナット２３を回転して当該前側のナット２３を拡径部２１の前側の段部に当接することで、１対のナット２３，２４がそれぞれ拡径部２１の前側段部及び後側段部にそれぞれ当接し、その結果、ねじ棒２６の揺動が抑えられる。すなわち、前側枠体１Ａが目的とする傾斜状態で拘束される。
【００１９】
なお、上記実施形態では、ねじ棒２６が前側枠体１Ａから着脱出来るように、ナット２５を設けたが、直接、ねじ棒２６の先端部を前側枠体１Ａの柱部５に固定して突設状態としても良い。
次に、本実施形態の取付け機構２について説明する。
本実施形態では、取付け機構２が、左右の各柱部６にそれぞれ２箇所ずつ設けられ、計４箇所存在している。
【００２０】
その構成は、柱部６内を、上下方向略中央部から上方に延び当該柱部６の上端面６ａに開口した、案内部を構成する案内穴３０を有し、その案内穴３０に上側から突っ張り棒３１が挿入されることで、突っ張り棒３１は上下方向に移動可能に規制される。符号６ｂは、柱部６の下端面である。
上記案内穴３０の下部にはカム収納空間３２が設けられ、そのカム収納穴空間３２に板カム３３が配置されている。本実施形態の板カム３３は、図５に示すように、左右方向に延びる回転軸３４に固定され、回転軸３４を軸回転させることで板カム３３は当該回転軸３４を軸として回転するようになっている。本実施形態では、板カム３３は、回転軸３４に対し、回転トルクが伝達可能で且つ軸方向に相対変位可能な状態で、当該回転軸３４に固定されている。すなわち、回転軸３４と板カム３３とは、軸方向に延びるキー溝にキー３７が差し込まれるキー結合で連結している。ここで、上記板カム３３及び回転軸３４からなるカム機構が、変位機構を構成する。
【００２１】
上記回転軸３４は、柱部５，６に対し、軸方向に変位可能な状態で軸回転可能な状態で支持されている。その回転軸３４の一端部は、柱部５，６の内面側に露出しており、その回転軸３４の一端部に対してレバー３５が固定されていて、レバー３５を回すことで、回転軸３４を介して板カム３３が回転するようになっている。
【００２２】
ここで、図２などでは上記板カム３３の輪郭形状が楕円形形状の場合を例示しているが、これに限定されない。例えば偏心カムなどであっても良い。
そして、上記板カム３３に上記突っ張り棒３１の尾端部４１が上側から接触していて、当該板カム３３の回動に伴って、突っ張り棒３１は上下方向に往復運動する。
【００２３】
また、上記構造を採用することで、上記回転軸３４、さらには、当該回転軸３４に固定されたレバー３５が、回転軸３４の軸方向に変位可能となっている。
そして、柱部５，６の内面には、レバー３５を最下部まで回転した状態で篏め込み可能な、縦方向に長い矩形の凹部３６が形成されている。
なお、上記板カム３３の輪郭は、レバー３５を最下部まで回転したときに、回転軸３４から突っ張り棒３１の尾端に接触している位置までの上下距離が一番大きくなるように設定されている。本実施形態では、レバー３５の延在方向と楕円形の長軸とを同方向に設定することで実現している。
【００２４】
また、上記突っ張り棒３１は、棒本体３１Ａと、その棒本体３１Ａの先端に取り付けられた棒先端部３１Ｂとから構成される。棒本体３１Ａの先端には、軸を上下に向けた有底穴３１Ａａが形成され、該有底穴３１Ａａに棒先端部３１Ｂの下部が挿入されている。さらに、その挿入位置に、有底穴３１Ａａと棒先端部３１Ｂとの間に軸を上下方向に向けたコイルバネ４０が介装され、当該コイルバネ４０によって、棒本体３１Ａに対し棒先端部３１Ｂが離れる方向つまり上部梁材３に向けてに付勢されている。
【００２５】
上記棒先端部３１Ｂには、島の上部梁材３に下側から当接する当接板３１Ｂａが設けられている。当該当接板３１Ｂａは、突っ張り棒３１の先端部を構成する。
上記構造の遊技盤取付け枠にあっては、後側枠体１Ｂの下部横架部８，１０を下部梁材４の上面に載せた状態で、４つある各レバー３５をそれぞれ下側に回して各突っ張り棒３１を上側に突っ張らしたら、レバー３５を柱部５，６側に押し込んで凹部３６に嵌め込むことで、その状態でロックさせる。
【００２６】
上記のように、各レバー３５を下側に回し且つ凹部３６に嵌め込むだけで、遊技盤取付け枠は島に固定される。このとき、レバー３５を凹部３６に嵌め込むだけでロックが可能となると共に、凹部３６にレバー３５を収容することで、当該レバー３５が後から設置される遊技盤の邪魔となることが無い。
また、突っ張り棒３１にバネ４０を持たせることで、島における上下に対向する梁材３，４間の距離に誤差があっても確実に後部枠体１Ｂを固定することが可能となる。バネ４０を設けなくても良いが、その分、しっかりと突っ張り棒３１を上方に押し付ける必要がある。
【００２７】
しかも、島に遊技盤取付け枠を固定した後に、間隙調整手段１２を構成する１対のナット２３，２４を回転させるだけで、取り付けられる遊技盤の傾斜角を目的とする傾斜に設定することが可能となる。
ここで、上記実施形態では、相対的に、カムが回転軸３４に対し軸方向に移動可能に取り付けた場合を例示しているがこれに限定されない。例えば、図６のように、回転軸３４自体を入れ子構造として、レバー３５取付け側の回転軸部分３４Ａが軸方向に相対移動可能に構成しても良い。図６では、回転軸３４を、後側の回転軸部分３４Ｂに対し前側の回転軸部分３４Ａ部分をキー結合にて連結することで、トルクを回転可能な状態としつつ軸方向への相対変位を可能としている。
【００２８】
もっとも、回転軸３４が柱部５，６から若干突出していても問題が無い場合には、レバー３５自体を回転軸３４に対し、当該回転軸３４の軸方向に移動可能に構成して、レバー３５を凹部３６に篏め込み可能としても良い。
また、上記実施形態では、操作を簡略化すべく、回転したレバー３５を凹部３６に嵌め込むだけで突っ張り棒３１をロックさせる機構となっているが、別途ロック機構を設けて、突出した突っ張り棒３１をロック状態にしても良い。この場合には、レバー３５自体を回転軸３４から着脱可能に構成しても良い。
【００２９】
また、上記実施形態では、突っ張り棒３１を上方に突出させる構造で説明しているがこれに限定されず、下方に突出させるように構成しても良い。但し、本実施形態のように上側に突出させる方が、突っ張り棒３１自体で枠本体１及び遊技盤の自重を支持する必要が無いので有利である。
また、カム３３の回転軸３４が左右方向に向いている実施形態で例示したが、これに限定されない。例えば、当該カム３３の回転軸３４を前後方向に向けても良い。この場合には、レバー３５が、後側枠体１Ｂの前面に配置される。この場合には、一つの回転軸３４に２つの板カム３３を取り付けて、前後に並ぶ２つの突っ張り棒３１を、一度に上方に変位させるように構成すると良い。
【００３０】
また、上記実施形態では、カムを使用した変位機構で説明しているが、これに限定されない。例えば、図７に示すような、レバー３５の回転によって、リンク５０を介して突っ張り棒３１が上下方向に往復運動するようなリンク機構で構成しても良い。
また、上記実施形態では、柱部６内に取付け機構２を設けているが、枠体内の空間に余裕があれば、柱部６に沿って案内部となる筒体を配置するなどして、柱の側方に取付け機構２を形成しても良い。
【００３１】
また、間隙調整手段についても、上記機構に限定されない。例えば、前側枠体１Ａ下部と後側枠体１Ｂ下部との対向部にそれぞれナットを固定し、そのナット間にねじ棒２６を架設して、構成しても良い。この場合には、一方のナットを上下方向に回転可能な状態で固定させておけばよい。
また、上記実施形態では、枠本体１を前側枠体１Ａと後側枠体１Ｂとから構成した例であるが、別途遊盤の傾斜を調整する手段を設ける場合には、枠本体１を後側枠体１Ｂだけから構成しても良い。
【００３２】
【発明の効果】
以上説明してきたように、本発明を採用すると、遊技盤取付け枠の取付けが簡易となって、遊技台の取付け作業が容易となる。
【図面の簡単な説明】
【図１】本発明に基づく実施形態に係る遊技盤取付け枠構造を説明する斜視図である。
【図２】本発明に基づく実施形態に係る間隙調整機構及び取付け機構を説明するための柱部部分を示す図であって、（ａ）は断面図、（ｂ）は内方からみた側面図である。
【図３】本発明に基づく実施形態に係る間隙調整機構及び取付け機構を説明するための柱部部分を示す図であって、（ａ）は断面図、（ｂ）は内方からみた側面図である。
【図４】本発明に基づく実施形態に係る前側枠体と後側枠体との関係を示す誇張した模式図である。
【図５】本発明に基づく実施形態に係るカム機構周りの構成を示す断面図である。
【図６】本発明に基づく実施形態に係るカム機構周りの構成を示す断面図である。
【図７】別の例の取付け機構を説明する模式図である。
【符号の説明】
１      枠本体
１Ａ    前側枠体
１Ｂ    後側枠体
２      取付け機構
３      上部梁材
４      下部梁材
５、６  柱部
７，９  上部横架部
８，１０  下部横架部
１１    丁番
１２    間隙調整手段
２０    ねじ遊挿穴
２１    拡径部
２２    窓部
２３，２４  一対のナット
２５    ナット
３０    案内穴（案内部）
３１    突っ張り棒
３１Ａ  棒本体
３１Ｂ  棒先端部
３３    板カム
３４    回転軸
３５    レバー
３６    凹部
４０    ばね
４１    尾端部
【図１】
2004195010.tif 000003
【図２】
2004195010.tif 000004
【図３】
2004195010.tif 000005
【図４】
2004195010.tif 000006
【図５】
2004195010.tif 000007
【図６】
2004195010.tif 000008
【図７】
2004195010.tif 000009